(57)【要約】【課題】  簡単な構造で賞球などの排出口に到達するまでの遊技球の貯留される量を増やすことが可能な球受皿を提供する。【解決手段】遊技球を一時的に貯留し底壁３０が傾斜した貯留部３と、その貯留部３で貯留した遊技球を球発射装置に１個ずつ供給するために１列に整列して流下させる整流通路４とを有する遊技機の球受皿２において、貯留部３の底壁３０は、遊技球が流下する上流側の上段部３１と、整流通路４に繋がる下流側の下段部３２と、上段部３１の下流端から降下して下段部３２の上流端に接続する段差部３３とを備え、段差部３３は、遊技球の直径とほぼ同じ高さを有することを特徴とする。【選択図】  図３
2010284185.tif 000002
【特許請求の範囲】
【請求項１】
遊技球を一時的に貯留し底壁が傾斜した貯留部と、その貯留部で貯留した遊技球を球発射装置に１個ずつ供給するために１列に整列して流下させる整流通路とを有する遊技機の球受皿において、
前記貯留部の底壁は、前記遊技球が流下する上流側の上段部と、前記整流通路に繋がる下流側の下段部と、前記上段部の下流端から降下して前記下段部の上流端に接続する段差部とを備え、
前記段差部は、遊技球の直径とほぼ同じ高さを有することを特徴とする遊技機の球受皿。
【請求項２】
前記下段部は、前記段差部に接続する上流端側において前記貯留部から遊技球を排出する球抜き開口が形成され、その球抜き開口を開閉する開閉蓋を含み形成されている請求項１に記載の遊技機の球受皿。
【発明の詳細な説明】
【技術分野】
【０００１】
本発明は、遊技機の球受皿に関する。
【背景技術】
【０００２】
ぱちんこ機などの遊技機は、矩形状の外枠に対して内枠が開閉可能に組み付けられ、該内枠にヒンジを介して前枠が開閉可能に配置されている。また、内枠の前面側には、遊技盤が着脱可能に組み付けられ、前枠には球受皿が設けられている。球受皿は、賞球や貸球された遊技球を一時的に貯留し底壁が傾斜した貯留部と、その貯留部で貯留した遊技球を球発射装置に１個ずつ供給するために１列に整列して流下させる整流通路とを有している。そして、前枠には球発射ハンドルが設けられ、該発射ハンドルの操作により球発射装置を作動させる。
【０００３】
例えば遊技機において、上球貯留部（球受皿）の上流側に臨ませて、賞球を排出する賞球排出口と貸し球を排出する貸球排出口とを開口し、貸球排出口の開口下縁から上球貯留部の底面までの高低差を遊技球１個程度とし、貸球排出口から排出された貸し球が上球貯留部に貯留されている遊技球の上に乗り上げ可能に構成したものがある（特許文献１参照）。これにより、上球貯留部に多少の遊技球が貯まっていても、貸し球を上球貯留部に確実に排出させることができるものである。
【先行技術文献】
【特許文献】
【０００４】
【特許文献１】特開２０００−１４０３９０号公報
【発明の概要】
【発明が解決しようとする課題】
【０００５】
しかしながら、賞球又は貸し球がそれぞれの排出口から排出されたとき、その排出された遊技球は上球貯留部において１段でしか貯留されていかず、上球貯留部の本来の貯留量を満たすことなく満杯となってしまうため、貸し球排出口からは遊技球を２段目へと乗り上げる形で排出させているが、賞球排出口からは排出することができない。そこで、各排出口に到達するまでの遊技球が貯留される量を増やすことが可能な球受皿が望まれている。
【０００６】
本発明は、上記実情に鑑みてなされたものであり、簡単な構造で賞球などの排出口に到達するまでの遊技球の貯留される量を増やすことが可能な球受皿を提供することにある。
【課題を解決するための手段】
【０００７】
上記課題を解決するために、本発明の遊技機の球受皿は、
遊技球を一時的に貯留し底壁が傾斜した貯留部と、その貯留部で貯留した遊技球を球発射装置に１個ずつ供給するために１列に整列して流下させる整流通路とを有する遊技機の球受皿において、
貯留部の底壁は、遊技球が流下する上流側の上段部と、整流通路に繋がる下流側の下段部と、上段部の下流端から降下して下段部の上流端に接続する段差部とを備え、
段差部は、遊技球の直径とほぼ同じ高さを有することを特徴とする。
【発明の効果】
【０００８】
上記本発明によれば、球受皿の貯留部の底壁に遊技球の直径とほぼ同じ高さの段差部が形成されている。すなわち、底壁部における上段部と下段部との高低差が段差部を介して遊技球の直径とほぼ同じ高さで設けられている。これによれば、貯留部に排出され上段部を流下してきた遊技球は、整流通路で１列に整列されつつ下段部に１段で貯留されていき、その下段部が満杯になるとその下段部に貯留された遊技球の上に乗り上げられて貯留されていくので、上段部の上流側（賞球などの排出口）に到達するまでに貯留される遊技球の量（個数）を増やすことができる。すなわち、本来の貯留部の貯留量を満たすことができる。
【０００９】
そして、段差部の高さが遊技球の直径とほぼ同じ高さなので、２段目に貯留された遊技球が先に存在しても、球圧により円滑にその遊技球を押し込んで貯留させることができる。さらには、段差部が貯留部（球受皿）に形成されているので、上段部まで遊技球が貯留された場合に、遊技者が簡単にその上段部の遊技球を下段部の２段目に乗り上げさせることができる。
【００１０】
また、遊技機の球受皿において下段部は、段差部に接続する上流端側において貯留部から遊技球を排出する球抜き開口が形成され、その球抜き開口を開閉する開閉蓋を含み形成することができる。
【００１１】
これによれば、下段部として球抜き開口を開閉する開閉蓋が形成されているので、下段部が遊技球で満杯になったときには開閉蓋の上でも円滑に２段目に遊技球が貯留され、貯留される量を増やすことができる。また、球抜き開口が下段部の上流端側に形成されているので、別途段差を形成することなく、開閉蓋の上に遊技球を転動させることができる。さらには、球抜き開口から遊技球を抜く状況下でも遊技を継続するだけの十分な遊技球の貯留量を確保することができる。
【図面の簡単な説明】
【００１２】
【図１】遊技機の一例を示す斜視図である。
【図２】本発明の実施形態に係る遊技機の球受皿一例を示す斜視図である。
【図３】図２のＡ−Ａ断面の要部拡大図である。
【発明を実施するための形態】
【００１３】
以下、本発明における実施形態について図面を参照しつつ説明する。
【実施例】
【００１４】
ぱちんこ機などの遊技機１００は、図１に示すように、矩形状の外枠１０１に対して内枠１０２が開閉可能に組み付けられ、該内枠１０２にヒンジ１０２ａを介して前枠１０３が開閉可能に配置されている。また、内枠１０２の前面側には、遊技盤（図示せず）が着脱可能に組み付けられ、前枠１０３の下部に設けられた当て板１の前面側に球受皿２が配設されている。
【００１５】
球受皿２は、図２及び図３に示すように、半皿状形態をなし、当て板１に形成された排出口１０から排出される賞球や貸球された遊技球を一時的に貯留する貯留部３と、その貯留部３で貯留した遊技球を球発射装置（図示せず）に１個ずつ供給するために当て板１に沿って１列に整列して流下させる整流通路４とを有している。球受皿２（貯留部３）は、排出口１０側を上流側とし、その反対側（整流通路４側）を下流側として遊技球が流下（転動）するように底壁３０が下り傾斜して形成されている。
【００１６】
貯留部３の底壁３０は、当て板１の排出口１０が位置し遊技球が流下する上流側の上段部３１と、整流通路４に繋がる下流側の下段部３２と、上段部３１の下流端から降下して下段部３２の上流端に接続する段差部３３とを備えている。
【００１７】
また、貯留部３の下段部３２には、段差部３３に接続する上流端側（本実施形態においては前後方向において略中央）において、貯留部３から遊技球を排出する球抜き開口３２ａが形成されている。また、球受皿２には、その球抜き開口３２ａを開閉する開閉蓋３４が設けられ、下段部３２はその開閉蓋３４を含み形成されている。そして、段差部３３は、図３に示すように、遊技球の直径とほぼ同じ高さを有している。なお、開閉蓋３４は、球抜き開口３２ａを塞ぐとともに、例えば上段部３１の下面に退避し、球抜き開口３２ａを開放して貯留部３から遊技球を排出する。
【００１８】
これによれば、排出口１０から排出された遊技球は、上段部３１及び下段部３２を流下して整流通路４に誘導されるため、下段部３２の下流側から１段で貯留されていく。そして、段差部３３が遊技球の直径とほぼ同じ高さを有しているので、下段部３２が満杯になりさらに上段部３１から遊技球が流下してくると、その遊技球は流下の勢いによって下段部３２の遊技球の上に乗り上がる形で貯留される。そして続いて遊技球が流下してくれば、その球圧により、２段目に乗り上げた遊技球を押し込んで貯留されることとなる。その後、２段目の遊技球と連なる形で上段部３１に遊技球が貯留されていく。すなわち、排出口１０から排出され貯留される量が増加されることとなる。
【００１９】
なお、図３では、開閉蓋３４を含む正面断面図にて説明しているが、開閉蓋３４が形成されていない箇所（球抜き開口の前後位置）、すなわち、上段部３１と下段部３２との底壁３０が段差部３３によって直接接続される位置においても、段差部３３が遊技球の直径とほぼ同じ高さを有しており、下段部３２が遊技球で満杯になった場合には、上記と同様の作用及び効果を奏する。
【００２０】
また、上記説明した本実施形態に係る遊技機１００は、上皿と下皿とが別れていない一体式の球受皿２で例示したが、例えば、上皿及び下皿とが別れている場合の上皿（球受皿）の底壁に、球抜き開口及び開閉蓋を省略した状態で、上段部と下段部との高低差が遊技球の直径とほぼ同じ高さを有する段差部を形成してもよく、その場合においても下段部３２が遊技球で満杯になった場合には、上記と同様の作用及び効果を奏する。なお、上記説明した球受皿２において球抜き開口３２ａ及び開閉蓋３４を段差部３３と離間した位置に形成してもよい。
【００２１】
本発明では遊技機の一例としてぱちんこ機について説明したが、他に例えばアレンジボール遊技機、雀球遊技機等の遊技機に適用することができる。
【符号の説明】
【００２２】
１  当て板
２  球受皿
３  貯留部
４  整流通路
１０  排出口
３０  底壁
３１  上段部
３２  下段部
３２ａ  球抜き開口
３３  段差部
３４  開閉蓋
１００  遊技機
【図１】
2010284185.tif 000003
【図２】
2010284185.tif 000004
【図３】
2010284185.tif 000005